Podtech/llm-jp-corpus-v4-ja_patent huggingface dataset:
【手続補正書】
【提出日】平成19年2月23日(2007.2.23)
【手続補正１】
【補正対象書類名】明細書
【補正対象項目名】特許請求の範囲
【補正方法】変更
【補正の内容】
【特許請求の範囲】
【請求項１】  式（Ｉ）：
Ｒ1Ｒ2Ｎ−ＣＨ2ＣＨ2−ＣＨＡｒ1−ＣＨ2−ＮＲ3−ＣＯ−Ｒ4    (Ｉ)
［式中、Ｒ1は水素であるか、またはＣ1-6アルキル、Ｃ2-6アルケニル、アリール、Ｃ1-6アルカノイル、Ｃ1-6アルコキシカルボニルまたはアリールカルボニルであり、かかる基のいづれかは場合により置換されており；
Ｒ2は水素またはＣ1-6アルキルであるか；またはＲ1とＲ2は結合して場合により置換されたモルホリノ環を形成し；
Ａｒ1はハロによりモノ−またはジ−置換されたフェニルであり；
Ｒ3は水素またはＣ1-6アルキルであり；
Ｒ4は場合により置換されたナフタ−１−イルである］
で表される化合物またはその製薬上許容され得る塩。
【請求項２】  Ｒ1が水素、Ｃ2-6アルケニル、フェニル、ベンゾイルであるか、または場合によりフェニルで置換されたＣ1-6アルキルである請求項１記載の化合物。
【請求項３】  Ｒ1が水素、メチル、エチル、ｎ−プロピル、イソプロピル、プロペン−２−イル、フェニルまたはベンゾイルである請求項１記載の化合物。
【請求項４】  Ｒ2が水素またはメチルである請求項１記載の化合物。
【請求項５】  Ｒ1がメチルまたはエチルであり；そしてＲ2が水素またはメチルであり；またはＲ1およびＲ2はそれらが結合した窒素原子と一緒になってモルホリノ環を形成する、請求項１記載の化合物。
【請求項６】  Ｒ4が未置換のナフチルであるか、またはシアノ、ニトロ、Ｃ1-6アルキルスルホニル；ハロ；Ｃ1-6アルコキシ；メチレンジオキシ（−ＯＣＨ2Ｏ−）；Ｃ1-6アルキル；Ｃ2-6アルケニル；Ｃ2-6アルキニル；Ｃ1-6アルキル−カルバモイル；ジ−Ｃ1-6アルキルカルバモイル；Ｃ1-6アルカノイル；Ｃ1-6アルカノイルアミノ；アミノスルホニル；およびシアノＣ1-6アルキルから選択される３つまでの置換基で置換されているナフチルである請求項１、２、３、４または５のいずれか１項に記載の化合物。
【請求項７】  Ｒ4が未置換のナフチルであるか、またはシアノ、メトキシ、エトキシ、イソプロポキシ、フルオロ、ブロモ、クロロ、ヨード、ニトロ、シアノメチル、カルボキシ、カルバモイル、エチニル、メチル、エチル、ジメチルカルバモイル、メチルスルホニル、アミノスルホニル、プロパ−２−エニル、アセチルおよびアセチルアミノから選択される３個までの置換基で置換されているナフチルである、請求項６記載の化合物。
【請求項８】  Ｒ4が、未置換であるかまたはシアノ、メトキシ、エチル、フルオロおよびニトロから選択される２個までの置換基で置換されている請求項６記載の化合物。
【請求項９】  Ｒ4が３−シアノナフタ−１−イル、３−シアノ−２−メトキシナフタ−１−イル、２,３−ジメトキシナフタ−１−イルまたは３−シアノ−２−エチルナフタ−１−イルである請求項８記載の化合物。
【請求項１０】  請求項１〜９のいずれか一つに記載の化合物および製薬上許容され得る担体または希釈剤を含有する医薬組成物。
【請求項１１】  請求項１〜９のいずれか一つに記載の化合物を含有する、リウマチ様関節炎、アルツハイマー病、がん、精神分裂病、浮腫、アレルギー性鼻炎、炎症、疼痛、胃腸運動亢進症、胃性喘息、胃食道逆流、不安、嘔吐、ハンチントン病、鬱病を含む神経症、高血圧、偏頭痛および蕁麻疹から選択される病状を治療するための医薬。
【手続補正２】
【補正対象書類名】明細書
【補正対象項目名】０００４
【補正方法】変更
【補正の内容】
【０００４】
Ｒ1が場合により置換されたＣ2-6アルキル（例えばエチルまたはプロピル）、Ｃ2-6アルケニル（例えばプロペニル）、Ｃ1-6アルコキシカルボニル（例えばメトキシカルボニルまたはエトキシカルボニル）およびＣ1-6アルカノイル（例えばアセチルまたはプロピオニル）である場合、適した置換基の例としてはハロ例えばクロロ、ブロモまたはフルオロ；ニトロ；シアノ；ヒドロキシ；Ｃ1-6アルコキシ例えばメトキシまたはエトキシ；アミノ；Ｃ1-6アルキルアミノ例えばメチルアミノまたはエチルアミノ；ジ−Ｃ1-6アルキルアミノ例えばジメチルアミノ；トリフルオロメチル；カルボキシ；カルバモイル（ＮＨ2ＣＯ−）；Ｃ1-6アルキルカルバモイル例えばメチルカルバモイルまたはエチルカルバモイル；ジ−Ｃ1-6アルキルカルバモイル例えばジメチル−カルバモイル；Ｃ1-6アルカノイル例えばアセチル；メルカプト；Ｃ1-6アルキルチオ例えばメチルチオまたはエチルチオ；Ｃ1-6アルキルスルフィニル例えばメチルスルフィニルまたはエチルスルフィニル；Ｃ1-6アルキルスルホニル例えばメチルスルホニルまたはエチルスルホニル；スルファモイル；Ｃ1-6アルコキシカルボニル例えばメトキシカルボニルまたはエトキシカルボニル；Ｃ3-8シクロアルキル例えばシクロプロピル、シクロブチル、シクロペンチルまたはシクロへキシル；アリール；またはヘテロアリールがある。
【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】  
【請求項１】  少なくとも二つの反復電荷モチーフを有する50キロダルトン未満のポリマー、ここで反復電荷モチーフは陽性に荷電された遊離アミノ部分および陰性電荷から構成され、ここで少なくとも二つの反復電荷モチーフの陽性に荷電された遊離アミノ部分は少なくとも32Åの介在配列により分離されており、およびここで介在配列は中性である；および
医薬として受容可能な担体
を含む医薬組成物。
【手続補正書】
【提出日】平成19年4月4日(2007.4.4)
【手続補正１】
【補正対象書類名】明細書
【補正対象項目名】特許請求の範囲
【補正方法】変更
【補正の内容】
【特許請求の範囲】
【請求項１】  有効量のErbBレセプターリガンドを含有してなる、哺乳類の膵臓機能不全の治療のための医薬。
【請求項２】  有効量のErbBレセプターアゴニスト抗体を含有してなる、哺乳類の膵臓機能不全の治療のための医薬。
【請求項３】  有効量のErbBレセプターリガンドの有効量を含有してなる、哺乳類の糖尿病の治療のための医薬。
【請求項４】  前記ErbBレセプターリガンドがベーターセルリン（betacellulin）を含む、請求項３の医薬。
【請求項５】  前記ErbBレセプターリガンドがヘレグリン（heregulin）を含む、請求項３の医薬。
【請求項６】  前記ベーターセルリンをヘレグリンとの組合せで投与する、請求項４の医薬。
【請求項７】  前記糖尿病がＩ型糖尿病である、請求項３の医薬。
【請求項８】  前記ErbBレセプターリガンドが、カニューラ（cannula）を使用して前記哺乳類へ投与される請求項３の医薬。
【請求項９】  有効量のErbBレセプターアゴニスト抗体を含有してなる、哺乳類の糖尿病の治療のための医薬。
【請求項１０】  供与哺乳類の成熟ベーター細胞又はベーター前駆細胞を有効量のErbBレセプターリガンド又はErbBレセプターアゴニスト抗体にインビトロで曝露する工程と、その後に、前記成熟ベーター細胞又はベーター前駆細胞が受容哺乳類のインビボへ投与される工程を含んでなる、膵臓機能不全の治療方法。
【請求項１１】  前記供与哺乳類及び前記受容哺乳類が同じ哺乳類である、請求項１０の方法。
【請求項１２】  前記供与哺乳類及び前記受容哺乳類が異なる哺乳類である、請求項１０の方法。
【請求項１３】   前記受容哺乳類へ免疫抑制剤が更に投与される、請求項１２の方法。
【請求項１４】  ベーター前駆細胞又は成熟ベーター細胞を有効量のErbBレセプターリガンドへ曝露することを含んでなる、ベーター前駆細胞又は成熟ベーター細胞の増殖を刺激又は誘導する方法。
【請求項１５】  前記ErbBレセプターリガンドがベーターセルリンを含む、請求項１４の方法。
【請求項１６】  前記ErbBレセプターリガンドがヘレグリンを含む、請求項１４の方法。
【請求項１７】  ベーター前駆細胞又は成熟ベーター細胞を有効量のErbBレセプターアゴニスト抗体へ曝露することを含んでなる、ベーター前駆細胞又は成熟ベーター細胞の増殖を刺激又は誘導する方法。
【請求項１８】  ベーター前駆細胞を有効量のErbBレセプターリガンドへ曝露することを含んでなる、ベーター前駆細胞の成熟ベーター細胞への分化を刺激又は誘導する方法。
【請求項１９】  前記ErbBレセプターリガンドがベーターセルリンを含む、請求項１８の方法。
【請求項２０】  前記ErbBレセプターリガンドがヘレグリンを含む、請求項１８の方法。
【請求項２１】  ベーター前駆細胞を有効量のErbBレセプターアゴニスト抗体へ曝露することを含んでなる、ベーター前駆細胞の成熟ベーター細胞への分化を刺激又は誘導する方法。
【請求項２２】  ErbBレセプターリガンドの有効量及び製薬的に許容可能な担体を含んでなる組成物。
【請求項２３】  ErbBレセプターアゴニスト抗体の有効量及び製薬的に許容可能な担体を含んでなる組成物。
【請求項２４】  ErbBレセプターリガンド又はErbBレセプターアゴニスト抗体の有効量を含んでなる組成物を具備する容器と、該容器上のラベル、又はインビボ又はインビトロにおいて該リガンド又は抗体を使用するための指示書を提供する挿入包装物を含んでなる製造品。
【手続補正書】
【提出日】平成19年3月28日(2007.3.28)
【手続補正１】
【補正対象書類名】明細書
【補正対象項目名】特許請求の範囲
【補正方法】変更
【補正の内容】
【特許請求の範囲】
【請求項１】Ｍ−ＤＮＡおよび薬学的に許容される担体を含む医薬組成物であって、動物に投与される前記Ｍ−ＤＮＡの量が、前立腺癌を有する動物の前立腺における癌細胞に対し抗腫瘍効果を有する、前立腺癌を有する動物における前立腺癌を治療するための医薬組成物。
【請求項２】 保護され、かつＭ．フレイの細胞壁（ＭＣＣ）上で複合体形成されたＭ−ＤＮＡと、薬学的に許容される担体とを含む医薬組成物であって、動物に投与される前記ＭＣＣの量が、前立腺癌を有する動物の前立腺における癌細胞に対し抗腫瘍効果を有する、前立腺癌を有する動物における前立腺癌を治療するための医薬組成物。
【請求項３】 前記前立腺癌がホルモン感受性の前立腺癌である請求項１または２記載の医薬組成物。
【請求項４】 前記前立腺癌がホルモン非感受性の前立腺癌である請求項１または２記載の医薬組成物。
【請求項５】 前記抗腫瘍効果が前立腺における癌細胞の増殖の阻害である請求項１または２記載の医薬組成物。
【請求項６】 前記抗腫瘍効果が前立腺における癌細胞に対してのアポプトーシスの誘導である請求項１または２記載の医薬組成物。
【請求項７】 前記抗腫瘍効果が前立腺における細胞によるサイトカイン合成の誘導である請求項１または２記載の医薬組成物。
【請求項８】 前記サイトカインがＩＬ−２およびＴＮＦ−αよりなる群から選ばれる、請求項７記載の医薬組成物。
【請求項９】 前記前立腺における細胞が、免疫系細胞および前立腺癌細胞より成る群から選ばれる、請求項７記載の医薬組成物。
【請求項１０】 前記薬学的に許容される担体が、固形担体および液状担体より成る群から選ばれる、請求項１または２記載の医薬組成物。
【請求項１１】 前立腺癌を有する動物における前立腺癌を治療するための有効量を、前立腺癌を有する動物に対し投与するための薬剤の製造における、Ｍ−ＤＮＡと薬学的に許容される担体とを含む組成物の使用。
【請求項１２】 前記前立腺癌がホルモン感受性である請求項１１記載の使用。
【請求項１３】 前記前立腺癌がホルモン非感受性である請求項１１記載の使用。
【請求項１４】 前記Ｍ−ＤＮＡが前立腺において癌細胞の増殖を阻害する請求項１１記載の使用。
【請求項１５】 前記Ｍ−ＤＮＡが前立腺において、前立腺癌細胞におけるアポプトーシ
スを誘導する請求項１１記載の使用。
【請求項１６】 前記Ｍ−ＤＮＡが前立腺において、細胞によるサイトカイン合成を誘導する請求項１１記載の使用。
【請求項１７】 前立腺癌を有する動物における前立腺癌を治療するための有効量を、前立腺癌を有する動物に対し投与するための薬剤の製造における、ＭＣＣと薬学的に許容される担体とを含む組成物の使用。
【請求項１８】 前記前立腺癌がホルモン感受性である請求項１７記載の使用。
【請求項１９】 前記前立腺癌がホルモン非感受性である請求項１７記載の使用。
【請求項２０】 前記ＭＣＣが前立腺における癌細胞の増殖を阻害する請求項１７記載の使用。
【請求項２１】 前記ＭＣＣが前立腺における癌細胞においてアポプトーシスを誘導する請求項１７記載の使用。
【請求項２２】 前記ＭＣＣが前立腺における細胞によるサイトカイン合成を誘導する請求項１７記載の使用。
【請求項２３】 前記サイトカインがＩＬ−２およびＴＮＦ−αよりなる群から選ばれる請求項１６または２２記載の使用。
【請求項２４】 前立腺における細胞が、免疫系細胞および前立腺癌細胞より成る群から選ばれる請求項１６または２２記載の使用。
【請求項２５】 前記薬学的に許容される担体が、固形担体および液状担体より成る群から選ばれる請求項１１または１７記載の使用。
【手続補正書】
【提出日】平成18年12月12日(2006.12.12)
【手続補正１】
【補正対象書類名】明細書
【補正対象項目名】特許請求の範囲
【補正方法】変更
【補正の内容】
【特許請求の範囲】
【請求項１】  管理された卵巣刺激（ＣＯＳ）および補助された生殖処置（ＡＲＴ）をプログラムすることにより不妊症を治療管理するための医薬キットにおいて、
ａ）管理された卵巣刺激（ＣＯＳ）ならびに補助された生殖技術（ＡＲＴ）における、未熟卵排卵を抑制するためのＬＨＲＨ−アンタゴニスト、
ｂ）管理された卵巣刺激（ＣＯＳ）の開始をプログラミングするためのプロゲストゲン単独あるいは経口避妊薬との組み合わせ、
ｃ）卵胞成長のための外因性刺激製剤、
ｄ）排卵誘発のためのＨＣＧ、天然ＬＨＲＨ、ＬＨＲＨ−アゴニストまたは組み換えＬＨ、
ｅ）および特にＩＶＦ、ＩＣＳＩ、ＧＩＦＴ、ＺＩＦＴまたは精液注入による子宮内受精による補助された生殖技術のためのキットの適用
からなることを特徴とする、管理された卵巣刺激（ＣＯＳ）および補助された生殖方法（ＡＲＴ）のプログラムによる不妊症の治療管理するための医薬キット。
【請求項２】  月曜日から金曜日の間に卵母細胞のピックアップおよび受精処置を実施するために、月経周期およびＣＯＳの開始をプログラムする、請求項１記載の医薬キット。
【請求項３】  月経周期および管理された卵巣刺激処置の開始のプログラミングのために、経口避妊薬またはプロゲストゲン単独を含有する製剤を卵胞期に投与し、有利にはこれを月経周期第１日もしくは第２日に、または前回の月経周期の後期黄体期に開始する、請求項１記載の医薬キット。
【請求項４】  月経および卵巣刺激治療を金曜日から月曜日に開始し、かつその後、卵母細胞のピックアップおよびその後のＡＲＴ処置を月曜日から木曜日にスケジュールし、かつ実施することができるために、最後の錠剤の摂取が有利に月曜日から木曜日である、請求項１記載の医薬キット。
【請求項５】  ＬＨＲＨ−アンタゴニストがセトロレリックスである、請求項１記載の医薬キット。
【請求項６】  ＬＨＲＨ−アンタゴニストがテベレリックスである、請求項１記載の医薬キット。
【請求項７】  ＬＨＲＨ−アンタゴニストがガニレリックスである、請求項１記載の医薬キット。
【請求項８】  ＬＨＲＨ−アンタゴニストがアンチドである、請求項１記載の医薬キット。
【請求項９】  ＬＨＲＨ−アンタゴニストがアバレリックスである、請求項１記載の医薬キット。
【請求項１０】  プロゲストゲン製剤の経口投与によりプログラミングを実施する、請求項１記載の医薬キット。
【請求項１１】  プロゲストゲンを単独で含有する避妊薬の経口投与によりプログラミングを実施する、請求項１記載の医薬キット。
【請求項１２】  エチニルエストラジオールおよびプロゲストゲンを含有する単一相性の避妊薬合剤の経口投与によりプログラミングを実施する、請求項１記載の医薬キット。
【請求項１３】  エチニルエストラジオールおよびプロゲストゲンを含有する２相性の避妊薬の経口投与によりプログラミングを実施する、請求項１記載の医薬キット。
【請求項１４】  エチニルエストラジオールおよびプロゲストゲンを含有する３相性の避妊薬の経口投与によりプログラミングを実施する、請求項１記載の医薬キット。
【請求項１５】  メストラノールおよびプロゲストゲンを含有する避妊薬の経口投与によりプログラミングを実施する、請求項１記載の医薬キット。
【請求項１６】  黄体期に０．５〜１０ｍｇの投与量でＬＨＲＨ−アンタゴニストのセトロレリックスを投与することによりプログラミングを実施する、請求項１記載の医薬キット。
【請求項１７】  黄体期に０．５〜１０ｍｇの投与量でＬＨＲＨ−アンタゴニストのテベレリックスを投与することによりプログラミングを実施する、請求項１記載の医薬キット。
【請求項１８】  黄体期に０．５〜１０ｍｇの投与量でＬＨＲＨ−アンタゴニストのガニレリックスを投与することによりプログラミングを実施する、請求項１記載の医薬キット。
【請求項１９】  黄体期に０．５〜１０ｍｇの投与量でＬＨＲＨ−アンタゴニストのアンチドを投与することによりプログラミングを実施する、請求項１記載の医薬キット。
【請求項２０】  黄体期に０．５〜１０ｍｇの投与量でＬＨＲＨ−アンタゴニストのアバレリックスを投与することによりプログラミングを実施する、請求項１記載の医薬キット。
【請求項２１】  尿性もしくは組み換えＦＳＨまたはＨＭＧを、組み換えＬＨと共に、または組み換えＬＨを用いずに投与することにより刺激を実施する、請求項１記載の医薬キット。
【請求項２２】  抗エストロゲン、たとえばクロミフェンにより卵巣刺激を行う、請求項１記載の医薬キット。
【請求項２３】  抗エストロゲンとゴナドトロピンとの組合せにより卵巣刺激を行う、請求項１記載の医薬キット。
【請求項２４】  クロミフェンとゴナドトロピンとの組合せにより卵巣刺激を行う、請求項１記載の医薬キット。
【手続補正書】
【提出日】平成19年4月3日(2007.4.3)
【手続補正１】
【補正対象書類名】明細書
【補正対象項目名】特許請求の範囲
【補正方法】変更
【補正の内容】
【特許請求の範囲】
【請求項１】  混入物として生物学的材料と会合している細菌性内毒素を分離する方法であって、最初に、生物学的材料及び内毒素を、約２Ｍ〜約８．５Ｍの範囲内の濃度のグアニジン塩酸塩である、荷電した溶解剤及び水溶性塩の存在下で疎水性の固相と接触させることにより、固相上に内毒素を吸着させ、次に、吸着されなかった生物学的材料を前記固層から溶出して内毒素を当該生物学的材料から分離することを含んで成る方法。
【請求項２】  疎水性の固相が疎水性の基礎マトリックスである、請求項１に記載の方法。
【請求項３】  疎水性の固相が誘導体化された粒子材料、例えばカラムクロマトグラフィーのマトリックスである、請求項１に記載の方法。
【請求項４】  誘導体化した粒子材料が疎水性基で誘導体化した親水性の基礎材料、例えばフェニル基で誘導体化した、巨大孔の架橋したアガロースゲルである、請求項３に記載の方法。
【請求項５】  水溶性塩が塩析作用によって生物学的材料を沈澱させ得る塩、例えば硫酸アンモニウムである、請求項１〜４のいずれか１項に記載の方法。
【請求項６】  グアニジン塩酸塩の濃度が約４Ｍ〜約８Ｍの範囲内である、請求項１〜５のいずれか１項に記載の方法。
【請求項７】  グアニジン塩酸塩の濃度が約４Ｍ〜約６Ｍの範囲内である、請求項１〜６のいずれか１項に記載の方法。
【請求項８】  グアニジン塩酸塩の濃度が約４Ｍであり、そして水溶性塩が約０．５Ｍ〜約０．７５Ｍの範囲内の濃度の硫酸アンモニウムである、請求項１〜７のいずれか１項に記載の方法。
【請求項９】  生物学的材料が、Ｅ．コリ発現系において封入体の形態で生成したタンパク質である、請求項１〜８のいずれか１項に記載の方法。
【請求項１０】  生物学的材料が、ヒトパピローマウイルスタンパク質配列を含んで成る融合タンパク質、例えばＥ６及び／又はＥ７と融合した実質的に完全長のＨＰＶ Ｌ２、である、請求項１〜９のいずれか１項に記載の方法。
【手続補正２】
【補正対象書類名】明細書
【補正対象項目名】００１０
【補正方法】変更
【補正の内容】
【００１０】
F. B. Anspach 及びO. Hilbeckは、Journal of Chromatography A, 711, 81-92, 1995 において、血清アルブミン及びリゾチームからのＥ．コリ由来の内毒素の分離におけるヒスチジン、ヒスタミン及びポリミキシンＢ親和性吸着剤の使用を記載している。この筆者は、「タンパク質溶液の一般的な混入物除去のための内毒素特異的吸着剤は利用できないだろう」と結論づけた。ＥＰ０３３３４７４（Mitsui Toatsu Chenicals Inc: M Mitsuyoshi）は、精製すべきタンパク質を吸着剤に特異的に吸着させることにより当該タンパク質から含有内毒素を除去する方法を記載している。ＥＰ０３３０７００(Sagami Chenical Research Chenter et al: Y Kobayashi et al.)は、グアニジン塩酸塩を含む緩衝液を利用し、また、精製すべきタンパク質を吸着剤に特異的に吸着させることにより突然変異プロウロキナーゼ様タンパク質を精製することについて記載している。
【手続補正３】
【補正対象書類名】明細書
【補正対象項目名】００３４
【補正方法】変更
【補正の内容】
【００３４】
例えば、疎水性の分離方法の部分的に精製された生成物は、所望によりカラムクロマトグラフィーを用いて更に精製され得る。例えば、追加の段階として疎水性相互作用クロマトグラフィー、又は陽イオン交換クロマトグラフィー、又は陰イオン交換クロマトグラフィーが更なる精製を達成するために使用され得る。あるいは、ゲル濾過が、例えば架橋したデキストランゲル、例えばＳｅｐｈａｄｅｘ（登録商標）のビーズを用いて、更なる精製に使用され得る。濾過技術、例えば膜濾過も更なる精製に使用され得る。
【手続補正４】
【補正対象書類名】明細書
【補正対象項目名】００４８
【補正方法】変更
【補正の内容】
【００４８】
前記タンパク質は以下の様に精製のために調製され得る。前述の様に生成した組換えＥ．コリ細胞培養液である出発材料は、混合した細胞懸濁液を生成するために、５mMのＥＤＴＡを含む５０mMのＴｒｉｓ緩衝液（pH８．０）中でホモジェナイズされる。続いて、Ｅ．コリ細胞を、１２，０００psi（８３ＭＰａ） の圧力ホモジェナイザーを介して破壊し、封入体を放出させる。次にこれらの封入体を１３０００ｇでの６０分間の遠心によってペレットとして単離する。得られた単離したタンパク質ペレットを、続いて洗浄のために５０mM Ｔｒｉｓ（pH８．０）、１０mM ＥＤＴＡ、１００mM ＮａＣｌ及び１％ｖ／ｖ Ｔｒｉｔｏｎ Ｘ−１００を含む緩衝液中での遠心、再懸濁により調製する。続いて、懸濁液を１３０００ｇで３０分間遠心し、そしてペレットを得る。続いて、このペレットを２mMのＴｒｉｓ緩衝液（pH８．０）中で再懸濁し、そして１３０００ｇで６０分間遠心する。タンパク質のペレットが得られる。単離したタンパク質のペレットが直ちに使用されない場合、それは−８０℃で保存され得る。
【手続補正書】
【提出日】平成19年2月22日(2007.2.22)
【手続補正１】
【補正対象書類名】明細書
【補正対象項目名】特許請求の範囲
【補正方法】変更
【補正の内容】
【特許請求の範囲】
【請求項１】  式Ｉ：
【化１】
2002541159.tif 000001
［式中、ＲＪは、ＣｎＨ２ｎ＋１ＣＨ＝ＣＨＣｍＨ２ｍＺ１であり、
ｎは１〜５であってよく、
ｍは０〜５であってよく、
ｑは０、１又は２であってよく、
Ａ１、Ａ２は、独立に、２，５−二置換フラン、２，５−二置換チオフェン、２，５−二置換オキサゾール、２，５−二置換チアゾール、２，５−二置換１，３，４−オキサジアゾール、２，５−二置換１，３，４−チアジアゾール、１，４−二置換ベンゼン、２，５−二置換ピリミジン、２，５−二置換ピリジン、２，６−二置換ナフタレン、側置換した１，４−二置換ベンゼン、側置換した２，５−二置換ピリミジン、側置換した２，５−二置換ピリジン、側置換した２，６−二置換ナフタレン（但し、側置換基は、独立に、Ｆ、Ｃｌ、Ｂｒ又はＣＮから選択され、利用可能な置換位置の何れに存在してもよい）から選択され、
Ａ３は、２，５−二置換フラン、２，５−二置換チオフェン、２，５−二置換オキサゾール、２，５−二置換チアゾール、２，５−二置換１，３，４−オキサジアゾール、２，５−二置換１，３，４−チアジアゾール、１，４−二置換ベンゼン、２，５−二置換ピリミジン、２，５−二置換ピリジン、２，６−二置換ナフタレン、側置換した１，４−二置換ベンゼン、側置換した２，５−二置換ピリミジン、側置換した２，５−二置換ピリジン、側置換した２，６−二置換ナフタレン（但し、側置換基は、独立に、Ｆ、Ｃｌ、Ｂｒ又はＣＮから選択され、利用可能な置換位置の何れに存在してもよい）、１，４−二置換ビシクロ（２．２．２）オクタン、トランス−１，４−二置換シクロヘキサン、トランス−２，５−二置換ジオキサン、１，４−二置換ピペリジンであってよく、
Ｚ１は、Ｏ、ＣＯＯ、ＯＯＣであってよく、
Ｚ２、Ｚ３は、独立に、直接結合、ＣＯＯ、ＯＯＣ、Ｃ２Ｈ４、ＣＨ２Ｏ、ＯＣＨ２、Ｃ４Ｈ８、Ｃ３Ｈ６Ｏ、（Ｅ）−ＣＨ＝ＣＨＣ２Ｈ４、（Ｚ）−ＣＨ２ＣＨ＝ＣＨＣＨ２、（Ｅ）−ＣＨ＝ＣＨＣＨ２Ｏ、−Ｃ≡Ｃ−から選択され、
Ｒは、アルキル、アルコキシ、アルケニル、アルケニルオキシ、アルカノイルオキシ、アルケノイルオキシ又はＯＣｐＦ２ｐ＋１であってよく、Ｒは１〜２０個の炭素原子を含んでよく、そして分枝鎖又は直鎖であってよく、
ｐは１〜２０であり、
但し、Ｚ１がＯであり、ｍが１、３又は５であるとき、ＲＪ中の炭素−炭素二重結合立体配置はＥであり、そして
Ｚ１がＯであり、ｍが２又は４であるとき、ＲＪ中の炭素−炭素二重結合立体配置はＺであり、そして
Ｚ１がＣＯＯ又はＯＯＣであり、ｍが０、２又は４であるとき、ＲＪ中の炭素−炭素二重結合立体配置はＥであり、そして
Ｚ１がＣＯＯ又はＯＯＣであり、ｍが１、３又は５であるとき、ＲＪ中の炭素−炭素二重結合立体配置はＺであり、
Ａ１、Ａ２又はＡ３の少なくとも１つは、上記の５員複素環式環の１つを含む］
の化合物。
【請求項２】  化合物を下記のもの：
【化２】
2002541159.tif 000002
（式中、ｑは０又は１であり、ｑが０であるとき、Ａ３は芳香族であり、
Ａ１、Ａ２は、２，５−二置換フラン、２，５−二置換チオフェン、２，５−二置換オキサゾール、２，５−二置換チアゾール、２，５−二置換１，３，４−オキサジアゾール、２，５−二置換１，３，４−チアジアゾール、１，４−二置換ベンゼンであり、
Ｚ１はＯ、ＣＯＯであり、
Ｚ２及びＺ３は直接結合又は−Ｃ≡Ｃ−であり、
Ｒは、アルキル、アルコキシ、アルケニル又はアルケニルオキシであって、１〜７個の炭素原子を有し、
Ａ１、Ａ２又はＡ３の少なくとも１つは、上記の５員複素環式環の１つを含む）
から選択することができる、請求項１記載の化合物。
【請求項３】  請求項１又は請求項２に記載の化合物の少なくとも１種を含む液晶混合物。
【請求項４】  間隔をあけた２つのセル壁を含むデバイスにおいて、それぞれのセル壁が電極構造物を有し且つ少なくとも１の対面表面上で配向層により処理され、液晶物質の層が前記セル壁の間に取り囲まれているデバイスであって、請求項１又は２に記載の化合物を含むことを特徴とするデバイス。
【請求項５】  間隔をあけた２つのセル壁を含むデバイスにおいて、それぞれのセル壁が電極構造物を有し且つ少なくとも１の対面表面上で配向層により処理され、液晶混合物の層が前記セル壁の間に取り囲まれているデバイスであって、請求項３に記載の液晶混合物を含むことを特徴とするデバイス。
【請求項６】  デバイスがアクティブマトリックスデバイスである、請求項４又は５に記載の液晶デバイス。
【請求項７】  デバイスがＳＴＮデバイスである、請求項４、５及び６の何れか１項に記載の液晶デバイス。
【請求項８】  デバイスがＴＮデバイスである、請求項４、５及び６の何れか１項に記載の液晶デバイス。
【請求項９】  液晶物質の層を取り囲む２個のセル壁；
両方の壁上の電極構造物；
液晶分子に配向を与える、両方のセル壁の対面表面上の表面配向；
液晶物質のスイッチした状態の間を区別するための手段；
液晶分子が、同じアジマス面内で２個の異なったプレティルト角を採択することを可能にする、少なくとも１個のセル壁上の表面配向格子；
２種の安定な液晶分子立体配置が、電極に適切な電気信号が印加された後に存在し得るような配列；
が含まれる双安定ネマチック液晶デバイスであって、液晶物質の層に請求項３記載の混合物が含まれるデバイス。
【請求項１０】  格子に、そのグルーブ深さ及びピッチ比が双安定配向を与える単一非対称モジュレーションが含まれる、請求項９記載のデバイス。
【請求項１１】  格子に、そのグルーブ深さ及びピッチ比が双安定配向を与える単一対称モジュレーションが含まれる、請求項９記載のデバイス。
【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  構造式：
【化１】
2002541153.tif 000001
（式中、
Ｒ１は、Ｏ、（Ｈ，Ｈ）、（Ｈ，ＯＲ）、ＮＯＲであり、この場合、Ｒは、水素、（Ｃ１〜６）アルキル、または（Ｃ１〜６）アシルであり；
Ｒ２は、各々が任意にハロゲンで置換された、（Ｃ２〜３）アルキル、イソプロピル、（Ｃ２〜３）１−アルケニル、イソプロペニル、１，２−プロパジエニル、または（Ｃ２〜３）１−アルキニルであり；またはＲ２は、各々が任意に（Ｃ１〜２）アルキルまたはハロゲンで置換された、シクロプロピルまたはシクロプロペニルであり；
Ｒ３は、水素、（Ｃ１〜２）アルキルまたはエテニルであり；
Ｒ４は、（Ｃ１〜２）アルキルであり；
Ｒ５は、水素または（Ｃ１〜１５）アシルであり；および
点線は、任意の結合を示す）
の化合物であるが、化合物が、（７α，１７β）−７−エチル−１７−ヒドロキシエストル−４−エン−３−オン（７α−エチル−１９−ノルテストステロン）またはそのカルボン酸エステルではなく、且つ、（７α，１７β）−１７−（アセチルオキシ）−７−プロピルエストル−４−エン−３−オン（酢酸７α−プロピル−１９−ノルテストステロン）ではないことを条件とする化合物。
【請求項２】  Ｒ２が、エチル、エテニル、エチニル、プロピル、１−プロペニル、１−プロピニル、１，２−プロパジエニル、およびシクロプロピルから成る群から選択されることを特徴とする、請求項１に記載の化合物。
【請求項３】  Ｒ１がオキソであり、Ｒ３が水素であり、且つ、点線がΔ４二重結合を示すことを特徴とする、前記請求項のいずれか一項に記載の化合物。
【請求項４】  Ｒ２がエチルまたはエテニルであることを特徴とする、前記請求項のいずれか一項に記載の化合物。
【請求項５】  （７α，１７β）−７，１３−ジエチル−１７−ヒドロキシゴン−４−エン−３−オンおよび（７α，１７β）−７−エテニル−１３−エチル−１７−ヒドロキシゴン−４−エン−３−オンから成る群から選択されることを特徴とする、前記請求項のいずれか一項に記載の化合物。
【請求項６】  製薬上許容され得る担体を含むと共に、医薬品として活性な薬剤として、一般式Ｉ：
【化２】
2002541153.tif 000002
（式中、
Ｒ１は、Ｏ、（Ｈ，Ｈ）、（Ｈ，ＯＲ）、ＮＯＲであり、この場合、Ｒは、水素、（Ｃ１〜６）アルキル、または（Ｃ１〜６）アシルであり；
Ｒ２は、各々が任意にハロゲンで置換された、（Ｃ２〜３）アルキル、イソプロピル、（Ｃ２〜３）１−アルケニル、イソプロペニル、１，２−プロパジエニル、または（Ｃ２〜３）１−アルキニルであり；またはＲ２は、各々が任意に（Ｃ１〜２）アルキルまたはハロゲンで置換された、シクロプロピルまたはシクロプロペニルであり；
Ｒ３は、水素、（Ｃ１〜２）アルキルまたはエテニルであり；
Ｒ４は、（Ｃ１〜２）アルキルであり；
Ｒ５は、水素または（Ｃ１〜１５）アシルであり；および
点線は、任意の結合を示す）
を満たすステロイド化合物を含む医薬品組成物。
【請求項７】  ステロイド化合物において、Ｒ２が、エチル、エテニル、エチニル、プロピル、１−プロペニル、１−プロピニル、１，２−プロパジエニル、およびシクロプロピルから成る群から選択されることを特徴とする、請求項６に記載の医薬品組成物。
【請求項８】  ステロイド化合物が、（７α，１７β）−７−エチル−１７−ヒドロキシエストル−４−エン−３−オン、（７α，１７β）−７，１３−ジエチル−１７−ヒドロキシゴン−４−エン−３−オンおよび（７α，１７β）−７−エテニル−１３−エチル−１７−ヒドロキシゴン−４−エン−３−オンから成る群から選択されることを特徴とする、請求項７に記載の医薬品組成物。
【請求項９】  経口投与に適することを特徴とする、請求項６〜８のいずれか一項に記載の医薬品組成物。
【請求項１０】  アンドロゲン不全症を治療するための医薬品の調製に関する式Ｉを満たす化合物の使用。
【請求項１１】  黄体ホルモン物質の投与手段およびアンドロゲンの投与手段を含み、後者の手段が請求項６〜９のいずれか一項に記載の医薬品組成物である雄性避妊用具。
【手続補正書】
【提出日】平成19年2月28日(2007.2.28)
【手続補正１】
【補正対象書類名】明細書
【補正対象項目名】特許請求の範囲
【補正方法】変更
【補正の内容】
【特許請求の範囲】
【請求項１】  （ａ）バルブ金属の支持体；
（ｂ）前記バルブ金属の支持体上に形成された少なくとも一種の白金族金属または白金族金属の酸化物、及び少なくと一種のバルブ金属またはバルブ金属の酸化物を含む第一層；
（ｃ）前記第一層上に形成された白金族金属を含む第二層；及び
（ｄ）前記第二層上に形成された少なくとも一種の白金族金属または白金族金属の酸化物、及び少なくとも一種のバルブ金属またはバルブ金属の酸化物を含む第
三層
を含むアノード。
【請求項２】  前記バルブ金属の支持体がチタン、ニオブ、タンタルまたはジルコニウムを含む、請求項１に記載のアノード。
【請求項３】  前記第一層の前記白金族金属または白金族金属の酸化物が、ルテニウム、オスミウム、ロジウム、イリジウム、パラジウム、白金、酸化ルテニウム、酸化オスミウム、酸化ロジウム、酸化イリジウム、酸化パラジウム及び酸化白金から成る群より選ばれる、請求項１に記載のアノード。
【請求項４】  前記第一層の前記バルブ金属またはバルブ金属の酸化物が、タンタル、酸化タンタル、チタン、酸化チタン、ジルコニウム及び酸化ジルコニウムから成る群より選ばれる、請求項１に記載のアノード。
【請求項５】  前記第一層の前記白金族金属または白金族金属の酸化物が酸化イリジウムであり、前記第一層の前記バルブ金属またはバルブ金属の酸化物が酸化タンタルである、請求項１に記載のアノード。
【請求項６】  前記第二層の前記白金族金属が、ルテニウム、オスミウム、ロジウム、イリジウム、パラジウム及び白金から成る群より選ばれる、請求項１に記載のアノード。
【請求項７】  前記第三層の前記白金族金属または白金族金属の酸化物が、ルテニウム、オスミウム、ロジウム、イリジウム、パラジウム、白金、酸化ルテニウム、酸化オスミウム、酸化ロジウム、酸化イリジウム、酸化パラジウム及び酸化白金から成る群より選ばれる、請求項１に記載のアノード。
【請求項８】  前記第三層の前記バルブ金属またはバルブ金属の酸化物が、タンタル、酸化タンタル、チタン、酸化チタン、ジルコニウム及び酸化ジルコニウムから成る群より選ばれる、請求項１に記載のアノード。
【請求項９】  前記第三層の前記白金族金属または白金族金属の酸化物が酸化イリジウムであり、前記第三層の前記バルブ金属またはバルブ金属の酸化物が酸化タンタルである、請求項１に記載のアノード。
【請求項１０】  前記バルブ金属の支持体がチタンを含み、前記第一層が酸化イリジウム及び酸化タンタルを含み、前記第二層が白金を含み、前記第三層が酸化イリジウム及び酸化タンタルを含む、請求項１に記載のアノード。
【請求項１１】  前記バルブ金属の支持体表面が、２−１２μｍのあらさＲｑを有する、請求項１に記載のアノード。
【請求項１２】  前記バルブ金属の支持体表面が、３−６μｍのあらさＲｑを有する、請求項１に記載のアノード。
【請求項１３】  前記バルブ金属の支持体上に形成された前記第一層の総被覆量が０．５−２．５ｇ／ｍ2である、請求項１に記載のアノード。
【請求項１４】  前記第二層の厚さが０．１−３．０μｍである、請求項１に記載のアノード。
【請求項１５】  前記第二層上に形成された前記第三層の総被覆量が５−１００ｇ／ｍ2である、請求項１に記載のアノード。
【請求項１６】  前記バルブ金属の支持体上に形成された前記第一層の総被覆量が０．５−２．５ｇ／ｍ2であり、前記第二層の厚さが０．１−３．０μｍであり、及び、前記第二層上に形成された前記第三層の総被覆量が５−１００ｇ／ｍ2である、請求項１０に記載のアノード。
【請求項１７】  前記バルブ金属の支持体上に形成された前記第一層の総被覆量が１．８−２．２ｇ／ｍ2であり、前記第二層の厚さが０．２５−１．０μｍであり、及び、前記第三層の総被覆量が１０−４０ｇ／ｍ2である、請求項１０に記載のアノード。
【請求項１８】  （ａ）バルブ金属の支持体上に、少なくとも一種の白金族金属または白金族金属の酸化物、及び、少なくとも一種のバルブ金属またはバルブ金属の酸化物を含む第一層を形成すること;
（ｂ）前記第一層上に、白金族金属の第二層を形成すること；及び
（ｃ）前記第二層上に、少なくとも一種の白金族金属または白金族金属の酸化物、及び、少なくとも一種のバルブ金属またはバルブ金属の酸化物を含む第三層を形成するステップを含む、アノードの製造方法。
【請求項１９】  前記バルブ金属の支持体上に前記第一層を形成するのに先立ち、前記バルブ金属の支持体の表面にあらさをつける、請求項１８に記載の方法。
【請求項２０】  機械的手段または化学的手段により、前記バルブ金属の支持体の表面にあらさをつける、請求項１９に記載の方法。
【請求項２１】  前記バルブ金属の支持体表面のあらさＲｑが２−１２μｍである、請求項１９に記載の方法。
【請求項２２】  前記バルブ金属の支持体表面のあらさＲｑが３−６μｍである、請求項１９に記載の方法。
【請求項２３】  前記バルブ金属の支持体上に前記第一層を形成するのに先立ち、前記バルブ金属の支持体のあらさをつけた表面を、酸素含有雰囲気中、３５０−６００℃の温度で熱酸化処理される、請求項１９に記載の方法。
【請求項２４】  （ｉ）前記バルブ金属の支持体に、少なくとも一種の白金族金属及び少なくとも一種のバルブ金属を含有する塩の溶液の被膜を、少なくとも一つ適用すること、及び（ｉｉ）酸素含有雰囲気中で、前記被膜を熱処理すること、ステップを実行することにより、前記バルブ金属の支持体上に前記第一層を形成する、請求項１８に記載の方法。
【請求項２５】  前記第一層上に前記白金族金属を電着、スパッターまたは化学的に蒸着させることにより、前記第二層が前記第一層上に形成される、請求項１８に記載の方法。
【請求項２６】  前記白金族金属を含有する溶液から、前記第一層上に電着させることにより、前記第二層が前記第一層上に形成される、請求項１８に記載の方法。
【請求項２７】  （ｉ）前記第二層に対し、少なくとも一種の白金族金属及び少なくとも一種のバルブ金属を含有する塩の溶液の被膜を、少なくとも一つ適用すること、及び（ｉｉ）酸素含有雰囲気中で、前記被膜を熱処理すること、これらのステップを実行することにより、前記第二層上に前記第三層を形成する、請求項１８に記載の方法。
【請求項２８】  前記バルブ金属の支持体上に形成された前記第一層の総被覆量が０．５−２．５ｇ／ｍ2である、請求項１８に記載の方法。
【請求項２９】  前記第二層の厚さが０．１−３．０μｍである、請求項１８に記載の方法。
【請求項３０】  前記第二層上に形成された前記第三層の総被覆量が５−１００ｇ／ｍ2である、請求項１８に記載の方法。
【請求項３１】  前記バルブ金属の支持体上に形成された前記第一層の総被覆量が０．５−２．５ｇ／ｍ2であり、前記第二層の厚さが０．１−３．０μｍであり、及び、前記第二層上に形成された前記第三層の総被覆量が５−１００ｇ／ｍ2である、請求項２７に記載の方法。
【手続補正書】
【提出日】平成19年4月10日(2007.4.10)
【手続補正１】
【補正対象書類名】明細書
【補正対象項目名】特許請求の範囲
【補正方法】変更
【補正の内容】
【特許請求の範囲】
【請求項１】 ハロゲン化されていない窒素含有芳香族化合物を含む、ハロゲンで処理されている水性系と接触した金属表面のための腐食禁止剤であって、
ａ）ハロゲンの非存在下で、該水性系中において銅について１年あたり約０．３ミル未満の１８時間の平均腐食速度を示し、
ｂ）約５ｐｐｍのハロゲンでの処理後に、該水性系中において銅について１年あたり約２．５ミル未満の２２時間の平均腐食速度を示し、
ｃ）該水性系中、該水性系が約５ｐｐｍの塩素で処理された後１９時間の少なくとも約４．０ｐｐｍの遊離塩素濃度を示し、
ｄ）該水性系中、該水性系が約５ｐｐｍの塩素で処理された後４０時間において少なくとも約２．０ｐｐｍの遊離塩素濃度を示す腐食禁止剤。
【請求項２】 ハロゲン化されていない置換ベンゾトリアゾールを含む、ハロゲンで処理されている水性系と接触した金属表面のための腐食禁止剤であって、
ａ）ハロゲンの非存在下で、該水性系中において銅について１年あたり約０．３ミル未満の１８時間の平均腐食速度を示し、
ｂ）約５ｐｐｍのハロゲンでの処理後に、該水性系中において銅について１年あたり約２．５ミル未満の２２時間の平均腐食速度を示し、
ｃ）該水性系中、該水性系が約５ｐｐｍの塩素で処理された後１９時間の少なくとも約４．０ｐｐｍの遊離塩素濃度を示し、
ｄ）該水性系中、該水性系が約５ｐｐｍの塩素で処理された後４０時間において少なくとも約２．０ｐｐｍの遊離塩素濃度を示す腐食禁止剤。
【請求項３】 ハロゲン化されていない置換ベンゾトリアゾールを含む、ハロゲンで処理されている水性系と接触した金属表面のための腐食禁止剤であって、該置換ベンゾトリアゾールが、５，６−ジメチル−ベンゾトリアゾール、５，６−ジフェニルベンゾトリアゾール、５−ベンゾイル−ベンゾトリアゾール、５−ベンジル−ベンゾトリアゾール及び５−フェニル−ベンゾトリアゾールから選択され、
ａ）ハロゲンの非存在下で、該水性系中において銅について１年あたり約０．３ミル未満の１８時間の平均腐食速度を示し、
ｂ）約５ｐｐｍのハロゲンでの処理後に、該水性系中において銅について１年あたり約２．５ミル未満の２２時間の平均腐食速度を示し、
ｃ）該水性系中、該水性系が約５ｐｐｍの塩素で処理された後１９時間の少なくとも約４．０ｐｐｍの遊離塩素濃度を示し、
ｄ）該水性系中、該水性系が約５ｐｐｍの塩素で処理された後４０時間において少なくとも約２．０ｐｐｍの遊離塩素濃度を示す腐食禁止剤。
【手続補正書】
【提出日】平成19年2月28日(2007.2.28)
【手続補正１】
【補正対象書類名】明細書
【補正対象項目名】特許請求の範囲
【補正方法】変更
【補正の内容】
【特許請求の範囲】
【請求項１】  車台と、該車台に対して移動可能に配備されたブームとを含み、該ブームにはドリルユニットが移動可能に配備され、該ドリルユニットは少なくともロックドリルと、供給ビームと、供給手段とを有する方式であって、該方式はさらに、掘削時に必要なドリル部品を収納する少なくとも１つの部品マガジンと、前記ドリル部品を前記部品マガジンとドリルユニットとの間で操作する交換ユニットとを含む、ロックドリル装置におけるドリル部品交換方式において、前記部品マガジンは、前記車台またはブームに、前記ドリルユニットから分離されて配備され、前記方式は、前記ドリル部品を交換するために前記ドリルユニットを前記部品マガジンに対して所定の姿勢および位置に駆動する手段を含むことを特徴とする方式。
【請求項２】  請求項１に記載の方式において、前記交換ユニットは、前記車台またはブームに配備されていることを特徴とする方式。
【請求項３】  請求項１または２に記載の方式において、前記交換ユニットは、前記部品マガジンとドリルユニットとの間で該交換ユニットの回転ジョイントについて回転するように配備され、該交換ユニットは、伸縮可能なアームを含み、該アームの自由端は、前記ドリル部品を把握する把握器を含むことを特徴とする方式。
【請求項４】  請求項１ないし３のいずれかに記載の方式において、前記部品マガジンおよび交換ユニットは、前記ブームに配備され、これにより、前記部品マガジンと、交換ユニットと、ドリルユニットとの相対位置は、ブームの位置とは無関係であることを特徴とする方式。
【請求項５】  請求項４に記載の方式において、前記交換ユニットの運動は、前記ドリルユニットの所定の交換位置と前記部品マガジンとの相対位置に対応して、機構的に制限されていることを特徴とする方式。
【請求項６】  請求項１に記載の方式において、前記交換ユニットは前記ドリルユニットに配備され、該交換ユニットは、前記ドリル部品を、前記部品マガジンと供給ビームの末端にある保持ステーションとの間で操作するように配備されていることを特徴とする方式。
【請求項７】  請求項１ないし６のいずれかに記載の方式において、前記部品マガジンは、回転可能なディスク状物体を含み、該物体の周辺には、突起またはその同等物が、前記ドリル部品を固定するために備えられていることを特徴とする方式。
【請求項８】  請求項１ないし７のいずれかに記載の方式において、前記ブームは、前記ロックドリル装置に対して長手方向を向けていて相互に一定の間隔を有する２本のビームを含み、前記部品マガジンおよび交換ユニットは、前記ブームの各ビーム間に配備されていることを特徴とする方式。
【手続補正書】
【提出日】平成19年3月22日(2007.3.22)
【手続補正１】
【補正対象書類名】明細書
【補正対象項目名】特許請求の範囲
【補正方法】変更
【補正の内容】
【特許請求の範囲】
【請求項１】  道路舗装に用いられるビチューメンミックス用の繊維強化材料であって、５マイクロメートル以上の直径および６ミリメートル以上の長さを有するガラスフィラメント（２）から主に得られること、および異なる直径のガラスフィラメント（２）の混合物からなり、フレーク状（１）であることを特徴とする繊維強化材料。
【請求項２】  前記フィラメント（２）が低アルカリ含量のカルシウムアルミニウムホウケイ酸から本質的になるＥ−タイプガラスで作られることを特徴とする、請求項１に記載の繊維強化材料。
【請求項３】  直径の異なる２種のガラスフィラメント（２）をほぼ同じ重量で含む混合物を含む、請求項１または２に記載の繊維強化材料。
【請求項４】  前記ガラスフィラメント（２）がチョップドガラスヤーン（３）から得られる、請求項１から３のいずれか一項に記載の繊維強化材料。
【請求項５】  前記ガラスフィラメント（２）が５マイクロメートル以上の最小直径および２４マイクロメートル以下の最大直径を有する、請求項１から４のいずれか一項に記載の繊維強化材料。
【請求項６】  前記フィラメント（２）が１０〜１５マイクロメートルの平均直径を有する、請求項５に記載の繊維強化材料。
【請求項７】  前記フィラメント（２）が主に、いわゆる、６ミリメートル以上の最小長さおよび２０ミリメートル以下の最大長さを有する、請求項１から６のいずれか一項に記載の繊維強化材料。
【請求項８】  前記フィラメント（２）が１０〜１２ミリメートルの平均長さを有する、請求項７に記載の繊維強化材料。
【請求項９】  道路舗装に用いられるビチューメンミックス用の繊維強化材料の製造方法であって、５マイクロメートルの最小直径以上で２４マイクロメートルの最大直径以下の直径を有するフィラメント（２）からなるガラスヤーン（３）を選択する選択ステップ（４）と、前記ヤーンを６ミリメートル以上の長さを主に有するフィラメント（２）に切断し、切断されたフィラメント（２）がフレーク状（１）に凝集するミリングステップ（６）とを含むことを特徴とする方法。
【請求項１０】  前記選択ステップ（４）において、前記ガラスヤーン（３）が製造スクラップまたは廃棄物から選択される、請求項９に記載の方法。
【請求項１１】  前記選択ステップにおいて、Ｅ−グレードガラスで作られたヤーン（３）が選択される、請求項９または１０に記載の方法。
【請求項１２】  前記選択ステップにおいて、「テキスタイル」ガラスヤーン（３ａ）および「ロービング」ガラスヤーン（３ｂ）が選択される、請求項９から１１のいずれか一項に記載の方法。
【請求項１３】  ほぼ同じ重量の前記ヤーン（３ａ、３ｂ）が計量供給される、請求項１２に記載の方法。
【請求項１４】  平均直径が１０〜１５マイクロメートルになるように選択された異なる直径のヤーン（３）が選択される、請求項９から１３のいずれか一項に記載の方法。
【請求項１５】  ミリングステップ（６）中に、前記ヤーン（３）が１０〜１２ミリメートルの平均長さを有するフィラメント（２）に切断される、請求項９から１４のいずれか一項に記載の方法。
【請求項１６】  ミリングステップ（６）が回転刃をもつチョッパ（６ａ）を用いて実施される、請求項９から１５のいずれか一項に記載の方法。
【請求項１７】  請求項１から８のいずれか一項に記載のあるいは請求項９から１６のいずれか一項に記載の方法によって製造される繊維材料の使用であって、前記繊維材料（１）が道路舗装用のビチューメンミックスに強化材料として配合されることを特徴とする使用。
【請求項１８】  ビチューメンおよび不活性材料の混合物を含むタイプの道路舗装用のビチューメンミックスであって、請求項１から８のいずれか一項または複数の項に記載の、あるいは請求項９から１６のいずれか一項に記載の方法によって製造される繊維強化材料（１）を含むことを特徴とするビチューメンミックス。
【手続補正２】
【補正対象書類名】明細書
【補正対象項目名】００５５
【補正方法】変更
【補正の内容】
【００５５】
好ましくは、ミリングは、１０〜１２ミリメートルの平均長さをもつ切れ端またはフィラメント２を得るように実施される。